(57)【要約】【課題】換気口貫通部からのダクトの外れを確実に防ぐことができ、しかも、漏気の危険性を低くすることができる換気口貫通部におけるダクトの接続構造を提供する。【解決手段】外壁１に設けられた換気口貫通部２に、屋内側のダクト４と屋外側のフード３とを連通接続する接続管５が挿入配置され、該接続管５は、長手方向の中間部又は屋外側の端部に、屋内側からの引抜きを阻止する係合部としての段部５ｃを備え、該段部５ｃを外壁１側に係合させて屋内側の端部が屋内側に突出するように設置され、該接続管５の屋内側の突出端部に屋内側のダクト４が接続されている。【選択図】      図１
2009047392.tif 000002
【特許請求の範囲】
【請求項１】
外壁に設けられた換気口貫通部に、屋内側のダクトと屋外側のフードとを連通接続する接続管が挿入配置され、
該接続管は、長手方向の中間部又は屋外側の端部に、外壁側と係合して屋内側からの引抜きを阻止する係合部を備え、該係合部を外壁側に係合させて屋内側の端部が換気口貫通部から屋内側に突出するように設置され、
該接続管の屋内側の突出端部に屋内側のダクトが接続されていることを特徴とする換気口貫通部におけるダクトの接続構造。
【発明の詳細な説明】
【技術分野】
【０００１】
本発明は、換気口貫通部におけるダクトの接続構造に関する。
【背景技術】
【０００２】
外壁に設けられた換気口貫通部における屋外側のフードと屋内側のダクトとの連通接続構造として、図６（イ）（ロ）に示すように、外壁５１の換気口貫通部５２内にスリーブ５３を屋内側に突出しない態様で組み込んでおき、ダクト５４の端部に接続した接続管５５を前記スリーブ５３の屋内側の端部に差し込んだ状態にすることで接続管５５とスリーブ５３とを接続し、ダクト５４を、接続管５５、そして、スリーブ５３を介して屋外側のフード５６と連通させるようにしたものがある。なお、５７は気密材、５８は止水材である。
【特許文献１】特開２００２−１３０７５７号公報
【発明の開示】
【発明が解決しようとする課題】
【０００３】
しかしながら、上記のような構造では、接続管５５はスリーブ５３内に差し込まれているだけであるので、ダクト５４の自重や、施工中のなんらかの力の作用によって、接続管５５がスリーブ５３から抜け、ダクト５４が換気口貫通部５２から外れてしまう危険性がある。
【０００４】
また、上記の構造では、接続部が、ダクト５４と接続管５５をつなぐ接続部と、接続管５５とスリーブ５３をつなぐ接続部と、スリーブ５３とフード５６をつなぐ接続部の３箇所と多く、接続箇所での漏気の危険性が高いという問題もある。
【０００５】
本発明は、上記のような問題点に鑑み、換気口貫通部からのダクトの外れを確実に防ぐことができ、しかも、漏気の危険性を低くすることができる換気口貫通部におけるダクトの接続構造を提供することを課題とする。
【課題を解決するための手段】
【０００６】
上記の課題は、外壁に設けられた換気口貫通部に、屋内側のダクトと屋外側のフードとを連通接続する接続管が挿入配置され、
該接続管は、長手方向の中間部又は屋外側の端部に、外壁側と係合して屋内側からの引抜きを阻止する係合部を備え、該係合部を外壁側に係合させて屋内側の端部が換気口貫通部から屋内側に突出するように設置され、
該接続管の屋内側の突出端部に屋内側のダクトが接続されていることを特徴とする換気口貫通部におけるダクトの接続構造によって解決される。
【０００７】
この構造によれば、接続管に、外壁側と係合して屋内側からの引抜きを阻止する係合部が備えられ、該係合部が外壁側に係合しているので、接続管に屋内側からの引抜きの力が作用しても、接続管が屋内側に抜けてしまうことはなく、換気口貫通部から屋内側への接続管の外れを防ぐことができ、また、接続管の屋内側の端部は換気口貫通部から屋内側に突出しているので、ダクトとの接続状態をしっかりとしたものにすることができて、換気口貫通部からのダクトの外れを確実に防ぐことができる。
【０００８】
そして、接続管は、屋内側のダクトと屋外側のフードとを連通接続しているので、接続部は、ダクトと接続管をつなぐ接続部と、接続管とフードをつなぐ接続部の２箇所となり、漏気の危険性を低くすることができる。
【発明の効果】
【０００９】
本発明は、以上のとおりのものであるから、換気口貫通部からのダクトの外れを確実に防ぐことができ、しかも、漏気の危険性を低くすることができる。
【発明を実施するための最良の形態】
【００１０】
次に、本発明の実施最良形態を図面に基づいて説明する。
【００１１】
図１及び図２に示す第１実施形態のダクト接続構造において、１は外壁、２は換気口貫通部、３は屋外側のフード、４は屋内側のダクト、５は接続管である。
【００１２】
外壁１は、外装面材６の背面側に通気層７を介してグラスウールボード等からなる防水断熱板８を設けた外壁パネル９で構成されており、換気口貫通部２は、外壁パネル９に予め設けられたもので、該換気口貫通部２内にはスリーブ１０が屋内側に突出しない態様で組み込まれ、該スリーブ１０の屋外側の端部に備えられた外フランジ部１０ａと防水断熱材８との間は第１止水材１１で止水されている。
【００１３】
接続管５は、換気口貫通部２のスリーブ１０内に通されて、屋内側のダクト４と屋外側のフード３とを連通接続するもので、屋外側の管部５ａが屋内側の管部５ｂよりも径大な異径管からなり、屋外側の管部５ａと屋内側の管部５ｂとの間に屋内側に面する係合部としての段部５ｃが備えられたものからなっている。
【００１４】
そして、接続管５の屋内側の管部５ｂは、スリーブ１０内に挿入可能な外周サイズのものからなっており、該屋内側の管部５ｂを屋外側から換気口貫通部２内のスリーブ１０に挿入していくと、段部５ｃが、外壁１側であるスリーブ１０の屋外側の端部に当接係合し、その係合作用によって、接続管５は屋内側からの引抜きを阻止された状態となると共に、接続管５の屋内側の管部５ｂの端部は、スリーブ１０から突出し、屋内側に突出した状態となるようにされている。また、接続管５には、段部５ｃを挟む一方の外周部からもう一方の外周部にわたる領域範囲において第２止水材１２が設けられている。
【００１５】
施工は、図２（イ）（ロ）に示すように、上記の接続管５の屋内側の管部５ｂを屋外側から外壁１の換気口貫通部２のスリーブ１０内に挿入していき、段部５ｃをスリーブ１０の屋外側の端部に当接させて、接続管５の屋内側の管部５ｂの端部を屋内側に突出させた状態にする。段部５ｃをスリーブ１０の屋外側の端部に当接させた状態にすると、接続管５とスリーブ１０との間は第２止水材１２により止水状態となる。
【００１６】
しかる後、屋内側において、該接続管５の突出端部にダクト４を接続する。ダクト４の接続は、接続管５の屋内側の管部５ｂの端部がスリーブ１０から出て屋内側に突出しているので、ビス止め及び／又はテープ貼り１３などによって気密性に優れたしっかりとした接続状態にすることができる。
【００１７】
そして、ダクト４の接続と相前後して、屋外側のフード３の差込み部３ａを接続管５の屋外側の端部に内嵌め状態に嵌合し、フード３を外壁面に取り付けることによって、接続管５とフードとを接続すればよい。
【００１８】
上記のダクト接続構造によれば、接続管５に、屋内側からの引抜きを阻止する段部５ｃが備えられ、該段部５ｃを外壁側と係合させているので、接続管５に屋内側からの引抜きの力が作用しても、接続管５が屋内側に抜けてしまうことはなく、換気口貫通部２から屋内側への接続管５の外れを防ぐことができ、また、接続管５の屋内側の端部は屋内側に突出しているので、ダクト４との接続状態を上記のようにビス及び／又はテープ貼り１３などによってしっかりとしたものにすることができて、換気口貫通部２からのダクト４の外れを確実に防ぐことができる。
【００１９】
そして、接続管５は、屋内側のダクト４と屋外側のフード３とを連通接続しているので、接続部は、ダクト４と接続管５をつなぐ接続部と、接続管５とフード３をつなぐ接続部の２箇所となり、漏気の危険性を低くすることができる。
【００２０】
図３〜図５に示す第２実施形態のダクト接続構造は、階間の胴差部分の外壁に換気口貫通部２が設けられた場合のものである。即ち、図４（イ）（ロ）に示すように、胴差１５のウェブに第１スリーブ１６が設けられると共に、階間水切り板１７に第２スリーブ１８が設けられ、階下の外壁パネル２２の建方を終えた後、第２スリーブ１８を第１スリーブ１６内に差し込むようにして階間水切り板１７を胴差１５部分に設置し、また、図４（ハ）に示すように、階上外壁パネル１９の外装面材２０の下端部は、階間胴差部をカバーするように下方に延長され、該延長部分に換気用開口部２１が設けられており、階上外壁パネル１９の建方を行うことにより、換気用開口部２１が第２スリーブ１８と同軸状態となって、該換気用開口部２１と第１、第２のスリーブ１６，１８とによる換気口貫通部２が形成されている。
【００２１】
施工は、図５（イ）（ロ）に示すように、第１実施形態と同様の構造を備えた接続管５の屋内側の管部５ｂを屋外側から換気口貫通部２の開口部２１、第１，第２のスリーブ１６，１８内に挿入していき、段部５ｃを第２スリーブ１８の屋外側の端部に当接させて、接続管５の屋内側の管部５ｂの端部を第１スリーブ１６から屋内側に突出させた状態にする。段部５ｃを第２スリーブ１８の屋外側の端部ないし階間水切り板１７に当接させた状態とすることにより、接続管５と第２スリーブ１８との間は第２止水材１２により止水状態となる。
【００２２】
しかる後、第１実施形態の場合と同様に、屋内側において、図５（ハ）及び図３（イ）に示すように、該接続管５の突出端部にダクト４をビス止め及び／又はテープ貼り１３などによって接続すると共に、屋外側のフード３の差込み部３ａを接続管５の屋外側の端部に内嵌め状態に嵌合し、フード３を外壁面に取り付けることによって、接続管５とフード３とを接続すればよい。
【００２３】
その他は第１実施形態と同様であり、このダクト接続構造によっても、第１実施形態の場合と同様の作用効果が奏される。
【００２４】
以上に、本発明の実施形態を示したが、本発明はこれに限られるものではなく、発明思想を逸脱しない範囲で各種の変更が可能である。例えば、上記の実施形態では、接続管５として異径管を用い、その段部５ｃを係合部とした場合を示したが、係合部は、屋外側からの換気口貫通部への挿入を許容し屋内側からの引抜きを阻止する態様のものであればよく、異径管によるものに限らず、長手方向の中間部に外フランジを設けた接続管を用い、該外フランジを係合部としたものなどであってもよい。また、段部や外フランジ等による係合部は、接続管の長手方向の中間部に備えられていてもよいし、屋外側の端部に備えられていてもよい。
【図面の簡単な説明】
【００２５】
【図１】第１実施形態のダクト接続構造を示すもので、図（イ）は分解断面側面図、図（ロ）は断面側面図である。
【図２】図（イ）及び図（ロ）は、施工方法を順次に示す断面側面図である。
【図３】第２実施形態のダクト接続構造を示すもので、図（イ）は断面側面図、図（ロ）は分解断面側面図である。
【図４】図（イ）〜図（ハ）は、第２実施形態における換気口貫通部の形成方法を順次に示す断面側面図である。
【図５】図（イ）及び図（ロ）は、換気口貫通部に対する施工方法を順次に示す断面側面図である。
【図６】背景技術にかかるダクト接続構造を示すもので、図（イ）は分解断面側面図、図（ロ）は断面側面図である。
【符号の説明】
【００２６】
１…外壁
２…換気口貫通部
３…フード
４…ダクト
５…接続管
５ｃ…段部（係合部）
【図１】
2009047392.tif 000003
【図２】
2009047392.tif 000004
【図３】
2009047392.tif 000005
【図４】
2009047392.tif 000006
【図５】
2009047392.tif 000007
【図６】
2009047392.tif 000008